(57)【要約】【課題】データ通信ネットワークを介した配信情報に対して保険を付帯させる保険システム、方法及びプログラム提供する。【解決手段】保険会社サーバ、契約者サーバ、代行者サーバ及び受益者端末を有する配信情報付帯保険システムにおいて代行者サーバが、配信情報の内容と保険の内容とを関連付けて登録し、配信情報に対して契約者サーバにより付与された配信情報識別番号を含む配信情報関連データを登録し、配信情報識別番号を含む受益者関連データを受益者端末から受信して登録し、見舞金請求データを受益者端末から受信して見舞金の支払いを決定する。【選択図】　図１
2004013421.tif 000002
【特許請求の範囲】
【請求項１】
配信情報に付帯する保険を提供する保険会社、該保険会社との保険契約により該保険を付帯させた配信情報を情報配信サイトに提供する保険契約者、及び該保険会社の保険業務を代行する代行者のためにそれぞれ設置されかつ互いに情報伝送可能な保険会社サーバ、契約者サーバ、及び代行者サーバと、該配信情報を配信されることができかつ該代行者サーバとの間で情報伝送可能な受益者端末とを有する配信情報付帯保険システムにおいて、前記代行者サーバが、
（ａ）前記配信情報付帯保険に関する配信情報の内容と保険の内容とを関連付けて登録するための保険契約データ記憶手段と、
（ｂ）前記情報配信サイトから配信された配信情報に対して前記契約者サーバにより付与された配信情報識別番号を含む配信情報データを登録するための配信情報データ記憶手段と、
（ｃ）前記配信情報付帯保険の受益者データを登録するための受益者データ記憶手段と、
（ｄ）前記配信情報識別番号を含む受益者データを前記受益者端末から受信し前記受益者データ記憶手段へ登録する受益者登録処理部と、
（ｅ）見舞金請求データを前記受益者端末から受信しかつ該見舞金請求データに基づいて前記受益者データ記憶手段、前記配信情報データ記憶手段及び前記保険契約データ記憶手段を参照することにより見舞金の支払いを決定する見舞金処理部とを有することを特徴とする
配信情報付帯保険システム。
【請求項２】
前記代行者サーバがさらに、（ｆ）前記保険契約者に替わり前記保険会社へ保険金を請求するための保険金請求データを作成し、該保険金請求データを前記保険会社サーバへ送信する保険金処理部を有することを特徴とする請求項１に記載の配信情報付帯保険システム。
【請求項３】
前記代行者サーバの前記受益者登録処理部が、前記受益者データを前記保険会社サーバへ送信し、前記受益者に対して該保険会社サーバにより付与された保険契約識別番号を該保険会社サーバから受信し前記受益者データ記憶手段に登録すると共に、該保険契約識別番号を前記受益者端末へ送信することを特徴とする請求項１又は２に記載の配信情報付帯保険システム。
【請求項４】
前記代行者サーバの前記見舞金処理部が、前記見舞金請求データに含まれる配信情報識別番号及び保険契約識別番号に基づいて、前記受益者データ記憶手段、前記配信情報データ記憶手段及び前記保険契約データ記憶手段を参照することにより見舞金の支払いを決定することを特徴とする請求項３に記載の配信情報付帯保険システム。
【請求項５】
前記代行者サーバの前記受益者登録処理部が、前記受益者データに含まれる配信情報識別番号に基づいて、前記配信情報データ記憶手段に該配信情報識別番号が登録されているか否かを確認することを特徴とする請求項１〜４のいずれかに記載の配信情報付帯保険システム。
【請求項６】
前記情報配信サイトにアクセスした複数のユーザ端末が、該情報配信サイトにて対戦を行うことにより該複数のユーザ端末から１の受益者端末が特定され、該受益者端末に対して前記配信情報識別番号が付与されることを特徴とする請求項１〜５のいずれかに記載の配信情報付帯保険システム。
【請求項７】
前記情報配信サイトにアクセスして配信情報を取得した１又は複数のユーザ端末から該配信情報を転送された他の１のユーザ端末が受益者端末として特定され、該受益者端末に対して前記配信情報識別番号が付与されることを特徴とする請求項１〜５のいずれかに記載の配信情報付帯保険システム。
【請求項８】
配信情報に付帯する保険を提供する保険会社、該保険会社との保険契約により該保険を付帯させた配信情報を情報配信サイトに提供する保険契約者、及び該保険会社の保険業務を代行する代行者のためにそれぞれ設置されかつ互いに情報伝送可能な保険会社サーバ、契約者サーバ、及び代行者サーバと、該配信情報を配信されることができかつ該代行者サーバとの間で情報伝送可能な受益者端末とにより実行される配信情報付帯保険方法において、前記代行者サーバが、
（ａ）前記配信情報付帯保険に関する配信情報の内容と保険の内容とを関連付けて登録するステップと、
（ｂ）前記情報配信サイトから配信された配信情報に対して前記契約者サーバにより付与された配信情報識別番号を含む配信情報データを登録するステップと、
（ｃ）前記配信情報識別番号を含む受益者データを前記受益者端末から受信しかつ登録するステップと、
（ｄ）見舞金請求データを前記受益者端末から受信しかつ該見舞金請求データに含まれる配信情報識別番号に基づいて前記登録された配信情報識別番号を参照することにより見舞金の支払いを決定するステップとを有することを特徴とする
配信情報付帯保険方法。
【請求項９】
前記代行者サーバがさらに、（ｅ）前記保険契約者に替わり前記保険会社へ保険金を請求するための保険金請求データを作成し、該保険金請求データを前記保険会社サーバへ送信するステップを有することを特徴とする請求項８に記載の配信情報付帯保険方法。
【請求項１０】
前記代行者サーバが、前記受益者データを前記保険会社サーバへ送信し、前記受益者に対して該保険会社サーバにより付与された保険契約識別番号を該保険会社サーバから受信して登録するステップと、該保険契約識別番号を前記受益者端末へ送信するステップとをさらに有することを特徴とする請求項８又は９に記載の配信情報付帯保険方法。
【請求項１１】
前記代行者サーバが、前記見舞金請求データに含まれる配信情報識別番号及び保険契約識別番号に基づいて、前記登録された配信情報識別番号及び保険契約識別番号を参照することにより見舞金の支払いを決定することを特徴とする請求項１０に記載の配信情報付帯保険方法。
【請求項１２】
前記情報配信サイトにアクセスした複数のユーザ端末が、該情報配信サイトにて対戦を行うことにより該複数のユーザ端末から１の受益者端末が特定され、該受益者端末に対して前記配信情報識別番号が付与されることを特徴とする請求項８〜１１のいずれかに記載の配信情報付帯保険方法。
【請求項１３】
前記情報配信サイトにアクセスして配信情報を取得した１又は複数のユーザ端末から該配信情報を転送された他の１のユーザ端末が受益者端末として特定され、該受益者端末に対して前記配信情報識別番号が付与されることを特徴とする請求項８〜１１のいずれかに記載の配信情報付帯保険方法。
【請求項１４】
配信情報に付帯する保険を提供する保険会社、該保険会社との保険契約により該保険を付帯させた配信情報を情報配信サイトに提供する保険契約者、及び該保険会社の保険業務を代行する代行者のためにそれぞれ設置されかつ互いに情報伝送可能な保険会社サーバ、契約者サーバ、及び代行者サーバと、該配信情報を配信されることができかつ該代行者サーバとの間で情報伝送可能な受益者端末とを有する配信情報付帯保険システムにおいて、前記代行者サーバに対し、
（ａ）前記配信情報付帯保険に関する配信情報の内容と保険の内容とを関連付けて登録する機能と、
（ｂ）前記情報配信サイトから配信された配信情報に対して前記契約者サーバにより付与された配信情報識別番号を含む配信情報データを登録する機能と、
（ｃ）前記配信情報識別番号を含む受益者データを前記受益者端末から受信しかつ登録する機能と、
（ｄ）見舞金請求データを前記受益者端末から受信しかつ該見舞金請求データに含まれる配信情報識別番号に基づいて前記登録された配信情報識別番号を参照することにより見舞金の支払いを決定する機能とを実現させることを特徴とする
配信情報付帯保険プログラム。
【請求項１５】
前記代行者サーバに対しさらに、（ｅ）前記保険契約者に替わり前記保険会社へ保険金を請求するための保険金請求データを作成し、該保険金請求データを前記保険会社サーバへ送信する機能を実現させることを特徴とする請求項１４に記載の配信情報付帯保険プログラム。
【請求項１６】
前記代行者サーバに対しさらに、前記受益者データを前記保険会社サーバへ送信し、前記受益者に対して該保険会社サーバにより付与された保険契約識別番号を該保険会社サーバから受信し前記受益者データ記憶手段に登録すると共に、該保険契約識別番号を前記受益者端末へ送信する機能を実現させることを特徴とする請求項１４又は１５に記載の配信情報付帯保険プログラム。
【請求項１７】
前記代行者サーバに対しさらに、前記見舞金請求データに含まれる配信情報識別番号及び保険契約識別番号に基づいて、前記登録された配信情報識別番号及び保険契約識別番号を参照することにより見舞金の支払いを決定する機能を実現させることを特徴とする請求項１６に記載の配信情報付帯保険プログラム。
【発明の詳細な説明】
【０００１】
【発明の属する技術分野】
本発明は、保険システムに関し、特に、インターネット、ブロードバンド、電話回線その他のデータ通信網を通じて携帯電話やコンピュータに配信される情報（ウェブサイトに掲載されるコンテンツ等）に付帯させた保険システムに関する。
【０００２】
【従来の技術】
現在、インターネット、ブロードバンド、電話回線その他のデータ通信ネットワークを通じて種々のウェブサイトへアクセスする機能を備えた携帯電話やパーソナルコンピュータ（以下、「パソコン」と称する）が普及しており、これらのウェブサイトから多種多様な情報の配信を受けることが可能となっている。これらの配信情報は、本来の目的情報に付随して種々の広告を含む場合も多い。例えば、携帯電話やパソコンのユーザが、携帯電話の待受画面やパソコンの画面用壁紙を配信するウェブサイトへアクセスし、所望する待受画面等を携帯電話等に配信してもらうシステムがある。このように配信された待受画面等の画像並びにそれらの一部に含まれる広告は、携帯電話等のユーザに対して頻繁に表示されることとなり、ユーザに対する強力な訴求機能を有することとなる。このようなデータ通信ネットワークを介して配信される情報並びにそれらに付随する広告（以下、広告も含めて「配信情報」と称する）の訴求機能が注目を集めている。
【０００３】
【発明が解決しようとする課題】
上記のような配信情報の訴求機能をさらに生かすためには、より多くのユーザがその配信情報の配信を受けたいと考えるような付加価値をその配信情報につけることが有効である。このようなユーザのインセンティブを高める付加価値の一つとして、配信情報に保険を付帯させることが考えられる。
そこで、本発明は、データ通信ネットワークを介した配信情報に対して保険を付帯させる保険システム、方法及びプログラム提供することを目的とする。
【０００４】
【課題を解決するための手段】
上記の目的を達成するべく本発明は、以下のシステム、方法及びプログラムを提供する。
【０００５】
（１）請求項１の配信情報付帯保険システムは、配信情報に付帯する保険を提供する保険会社、該保険会社との保険契約により該保険を付帯させた配信情報を情報配信サイトに提供する保険契約者、及び該保険会社の保険業務を代行する代行者のためにそれぞれ設置されかつ互いに情報伝送可能な保険会社サーバ、契約者サーバ、及び代行者サーバと、該配信情報を配信されることができかつ該代行者サーバとの間で情報伝送可能な受益者端末とを有する配信情報付帯保険システムにおいて、前記代行者サーバが、
（ａ）前記配信情報付帯保険に関する配信情報の内容と保険の内容とを関連付けて登録するための保険契約データ記憶手段と、
（ｂ）前記情報配信サイトから配信された配信情報に対して前記契約者サーバにより付与された配信情報識別番号を含む配信情報データを登録するための配信情報データ記憶手段と、
（ｃ）前記配信情報付帯保険の受益者データを登録するための受益者データ記憶手段と、
（ｄ）前記配信情報識別番号を含む受益者データを前記受益者端末から受信し前記受益者データ記憶手段へ登録する受益者登録処理部と、
（ｅ）見舞金請求データを前記受益者端末から受信しかつ該見舞金請求データに基づいて前記受益者データ記憶手段、前記配信情報データ記憶手段及び前記保険契約データ記憶手段を参照することにより見舞金の支払いを決定する見舞金処理部とを有する。
【０００６】
（２）請求項２の配信情報付帯保険システムは、請求項１のシステムにおいて、前記代行者サーバがさらに、（ｆ）前記保険契約者に替わり前記保険会社へ保険金を請求するための保険金請求データを作成し、該保険金請求データを前記保険会社サーバへ送信する保険金処理部を有する。
【０００７】
（３）請求項３の配信情報付帯保険システムは、請求項１又は２のシステムにおいて、前記代行者サーバの前記受益者登録処理部が、前記受益者データを前記保険会社サーバへ送信し、前記受益者に対して該保険会社サーバにより付与された保険契約識別番号を該保険会社サーバから受信し前記受益者データ記憶手段に登録すると共に、該保険契約識別番号を前記受益者端末へ送信する。
【０００８】
（４）請求項４の配信情報付帯保険システムは、請求項３のシステムにおいて、前記代行者サーバの前記見舞金処理部が、前記見舞金請求データに含まれる配信情報識別番号及び保険契約識別番号に基づいて、前記受益者データ記憶手段、前記配信情報データ記憶手段及び前記保険契約データ記憶手段を参照することにより見舞金の支払いを決定する。
【０００９】
（５）請求項５の配信情報付帯保険システムは、請求項１〜４のいずれかの配信情報付帯保険システムにおいて、前記代行者サーバの前記受益者登録処理部が、前記受益者データに含まれる配信情報識別番号に基づいて、前記配信情報データ記憶手段に該配信情報識別番号が登録されているか否かを確認する。
【００１０】
（６）請求項６の配信情報付帯保険システムは、請求項１〜５のいずれかの配信情報付帯保険システムにおいて、前記情報配信サイトにアクセスした複数のユーザ端末が、該情報配信サイトにて対戦を行うことにより該複数のユーザ端末から１の受益者端末が特定され、該受益者端末に対して前記配信情報識別番号が付与される。
【００１１】
（７）請求項７の配信情報付帯保険システムは、請求項１〜５のいずれかの配信情報付帯保険システムにおいて、前記情報配信サイトにアクセスして配信情報を取得した１又は複数のユーザ端末から該配信情報を転送された他の１のユーザ端末が受益者端末として特定され、該受益者端末に対して前記配信情報識別番号が付与される。
【００１２】
（８）請求項８の配信情報付帯保険方法は、配信情報に付帯する保険を提供する保険会社、該保険会社との保険契約により該保険を付帯させた配信情報を情報配信サイトに提供する保険契約者、及び該保険会社の保険業務を代行する代行者のためにそれぞれ設置されかつ互いに情報伝送可能な保険会社サーバ、契約者サーバ、及び代行者サーバと、該配信情報を配信されることができかつ該代行者サーバとの間で情報伝送可能な受益者端末とにより実行される配信情報付帯保険方法において、前記代行者サーバが、
（ａ）前記配信情報付帯保険に関する配信情報の内容と保険の内容とを関連付けて登録するステップと、
（ｂ）前記情報配信サイトから配信された配信情報に対して前記契約者サーバにより付与された配信情報識別番号を含む配信情報データを登録するステップと、
（ｃ）前記配信情報識別番号を含む受益者データを前記受益者端末から受信しかつ登録するステップと、
（ｄ）見舞金請求データを前記受益者端末から受信しかつ該見舞金請求データに含まれる配信情報識別番号に基づいて前記登録された配信情報識別番号を参照することにより見舞金の支払いを決定するステップとを有する。
【００１３】
（９）請求項９の配信情報付帯保険方法は、請求項８の配信情報付帯保険方法において、前記代行者サーバがさらに、（ｅ）前記保険契約者に替わり前記保険会社へ保険金を請求するための保険金請求データを作成し、該保険金請求データを前記保険会社サーバへ送信するステップを有する。
【００１４】
（１０）請求項１０の配信情報付帯保険方法は、請求項８又は９の配信情報付帯保険方法において、前記代行者サーバが、前記受益者データを前記保険会社サーバへ送信し、前記受益者に対して該保険会社サーバにより付与された保険契約識別番号を該保険会社サーバから受信して登録するステップと、該保険契約識別番号を前記受益者端末へ送信するステップとをさらに有する。
【００１５】
（１１）請求項１１の配信情報付帯保険方法は、請求項１０の配信情報付帯保険方法において、前記代行者サーバが、前記見舞金請求データに含まれる配信情報識別番号及び保険契約識別番号に基づいて、前記登録された配信情報識別番号及び保険契約識別番号を参照することにより見舞金の支払いを決定する。
【００１６】
（１２）請求項１２の配信情報付帯保険方法は、請求項８〜１１のいずれかの配信情報付帯保険方法において、前記情報配信サイトにアクセスした複数のユーザ端末が、該情報配信サイトにて対戦を行うことにより該複数のユーザ端末から１の受益者端末が特定され、該受益者端末に対して前記配信情報識別番号が付与される。
【００１７】
（１３）請求項１３の配信情報付帯保険方法は、請求項８〜１１のいずれかの配信情報付帯保険方法において、前記情報配信サイトにアクセスして配信情報を取得した１又は複数のユーザ端末から該配信情報を転送された他の１のユーザ端末が受益者端末として特定され、該受益者端末に対して前記配信情報識別番号が付与される。
【００１８】
（１４）請求項１４の配信情報付帯保険プログラムは、配信情報に付帯する保険を提供する保険会社、該保険会社との保険契約により該保険を付帯させた配信情報を情報配信サイトに提供する保険契約者、及び該保険会社の保険業務を代行する代行者のためにそれぞれ設置されかつ互いに情報伝送可能な保険会社サーバ、契約者サーバ、及び代行者サーバと、該配信情報を配信されることができかつ該代行者サーバとの間で情報伝送可能な受益者端末とを有する配信情報付帯保険システムにおいて、前記代行者サーバに対し、
（ａ）前記配信情報付帯保険に関する配信情報の内容と保険の内容とを関連付けて登録する機能と、
（ｂ）前記情報配信サイトから配信された配信情報に対して前記契約者サーバにより付与された配信情報識別番号を含む配信情報データを登録する機能と、
（ｃ）前記配信情報識別番号を含む受益者データを前記受益者端末から受信しかつ登録する機能と、
（ｄ）見舞金請求データを前記受益者端末から受信しかつ該見舞金請求データに含まれる配信情報識別番号に基づいて前記登録された配信情報識別番号を参照することにより見舞金の支払いを決定する機能とを実現させる。
【００１９】
（１５）請求項１５の配信情報付帯保険プログラムは、請求項１４の配信情報付帯保険プログラムにおいて、前記代行者サーバに対しさらに、（ｅ）前記保険契約者に替わり前記保険会社へ保険金を請求するための保険金請求データを作成し、該保険金請求データを前記保険会社サーバへ送信する機能を実現させる。
【００２０】
（１６）請求項１６の配信情報付帯保険プログラムは、請求項１４又は１５の配信情報付帯保険プログラムにおいて、前記代行者サーバに対しさらに、前記受益者データを前記保険会社サーバへ送信し、前記受益者に対して該保険会社サーバにより付与された保険契約識別番号を該保険会社サーバから受信し前記受益者データ記憶手段に登録すると共に、該保険契約識別番号を前記受益者端末へ送信する機能を実現させる。
【００２１】
（１７）請求項１７の配信情報付帯保険プログラムは、請求項１６の配信情報付帯保険プログラムにおいて、前記代行者サーバに対しさらに、前記見舞金請求データに含まれる配信情報識別番号及び保険契約識別番号に基づいて、前記登録された配信情報識別番号及び保険契約識別番号を参照することにより見舞金の支払いを決定する機能を実現させる。
【００２２】
【発明の実施の形態】
以下、図面を参照しつつ本発明の実施の形態を説明する。
図１は、本発明による配信情報付帯保険システムの実施形態を概略的かつ模式的に示す構成図である。本発明における配信情報付帯保険は、配信情報に付帯した保険を提供する保険会社と、配信情報を作成し提供する配信情報提供者若しくは広告主との間の保険契約に基づき、配信情報に付帯させた保険であって、当該配信情報を配信されたユーザ（当該配信後の転得者も含む）のためのサービスとしての保険である。従って、保険の受益者はユーザである。広告以外の配信情報自体に保険が付帯する場合は、配信情報提供者が「保険契約者」であり、広告に保険が付帯する場合は、広告主が「保険契約者」である。
【００２３】
図１に示す配信情報付帯保険システム１における、保険サービス代行者サーバ１０、保険契約者サーバ５０及び保険会社サーバ６０は、それぞれ「保険サービス代行者」、「保険契約者」及び「保険会社」の業務実行のために設置されるサーバである。保険サービス代行者は、保険会社と保険契約者との間の保険契約の設定に際して双方を仲介すると共に、本システムの各局面において保険会社又は保険契約者の保険関連業務の代行者としての役割を果たす。これにより、保険契約者及び保険会社の負担を軽減し、本システムの普及を促進することができる。保険サービス代行者は、本システムを円滑に運営するために設けられた機関（企業）である。
【００２４】
保険契約者は、本システムにより保険を付帯させる配信情報を作成しかつ提供する配信情報提供者若しくは広告主である。好適な実施例では、配信情報は、ウェブサイト自体である情報配信サイトの形態で作成される場合と、任意のウェブサイトの一部に含まれるコンテンツの形態で作成される場合とがある。いずれにしても、作成された情報配信サイト若しくはコンテンツ（以下、コンテンツを含めて「情報配信サイト」と称する場合がある）は、携帯電話の場合はコモンキャリア（以下、「キャリア」と称する）に、そしてパソコンの場合はインターネットサービスプロバイダ（以下、「プロバイダ」と称する）等に配信を委託することにより、それらのデータ通信ネットワークを介して携帯電話やパソコンからアクセスされることが可能となる。保険契約者サーバ５０は、キャリア／プロバイダ７０ａ、７０ｂ、７０ｃへそれぞれ配信した情報配信サイトＡ、Ｂ、Ｃの制御管理を行う。例えば、これらの情報配信サイトの内容の更新やこれらの情報配信サイトから情報を配信されるユーザとの契約等に関する制御管理である。
【００２５】
保険サービス代行者サーバ（以下、「代行者サーバ」と称する）１０、保険契約者サーバ（以下、「契約者サーバ」と称する）５０及び保険会社サーバ６０は、それぞれ適宜のコンピュータにより実施できる。これらのコンピュータは、中央演算処理装置（ＣＰＵ）、記憶装置及び適宜の入出力装置を具備し、記憶装置に記憶されたプログラムをＣＰＵが実行することにより、本システムの各機能を実現する。プログラムは、本システムに必要な各処理のためのプログラムである。図１の各サーバ１０、５０、６０のそれぞれのデータ処理部１１、５１、６１は、ＣＰＵを中心に構成され、各処理を実行する。尚、図１では、データ処理部の実行する各処理を模式的に種々の処理部として表しているが、各サーバについて主なもののみを示している。
【００２６】
記憶装置の一つに、本システムに関連する種々のデータを記憶するデータ記憶部が構築される。各サーバ１０、５０、６０のそれぞれのデータ記憶部１５、５４、６４は、各データ処理部１１、５１、６１の制御により種々のデータを記憶し、更新する。例えば、各データ記憶部は、種々のデータを適宜のテーブル形式で記憶する。尚、各テーブルのデータは、重複する場合又は相互に関係する場合もある。
【００２７】
図示しないが、各サーバは、適宜の通信ネットワーク（インターネット、ブロードバンド、専用線等）を介して他のサーバ又は任意の端末（パソコンや携帯電話等）と双方向情報伝送するための一般的な通信装置を具備する。特に、代行者サーバ１０は、本システムの保険サービスの受益者により用いられる受益者端末との双方向情報伝送においては、受付ウェブサイト（後述する図５の符号２１）を利用することが好ましい。この場合、代行者サーバ１０は、ウェブサーバとしての機能を具備する。また、契約者サーバ５０は、作成した情報配信サイトＡ〜Ｃをキャリア／プロバイダ７０ａ〜７０ｃへ配信し、またこれらの情報配信サイトＡ〜Ｃの内容を更新し、これらの情報配信サイトＡ〜Ｃから情報を取得するための機能を具備する。
【００２８】
保険会社サーバ６０については、保険業務ホストシステムの一機能として本システムの機能を組み込む形態で実施してもよい。契約者サーバ５０についても、本来の業務システムの一機能として本システムの機能を組み込む形態で実施してもよい。
【００２９】
図１を参照して、本システムの処理の流れの概要を述べる。詳細は後述する。尚、保険会社と契約者との間の保険契約は、既に設定されているものとする。
・ステップＳ１０１：代行者サーバ１０と契約者サーバ５０との間で、保険契約内容に関するデータを共有するために保険契約データが適宜授受される。この保険契約データは、配信情報の内容とそれに付帯される保険の内容を含む。代行者サーバ１０は、この保険契約データを保険契約データテーブル１６に登録（記憶）し、契約者サーバ５０は、保険契約データテーブル５５に登録する。
・ステップＳ１０２：代行者サーバ１０と保険会社サーバ６０との間で、保険契約内容に関するデータを共有するために保険契約データが適宜授受される。保険会社サーバ６０は、保険契約データを保険契約データテーブル６５に登録する。・ステップＳ２０１：契約者サーバ５０は、作成した各情報配信サイトをそれぞれキャリア／プロバイダへ配信する。各情報配信サイトには、付帯される保険の登録（受益者としての申込手続）機能が組み込まれている。
・ステップＳ２０２：保険サービス受益者端末（以下、「受益者端末」と称する）３０が情報配信サイトから情報の配信を受ける。情報の配信にあたり、配信情報提供者と受益者端末ユーザとの契約が行われ、配信情報識別番号が付与される。尚、実施例によっては、情報配信サイトから直接情報を配信された端末が、必ずしも受益者端末とはならない場合がある（図５において説明する）。
・ステップＳ２０３：保険サービス受益者としての申込手続のために、受益者端末３０から代行者サーバ１０へ受益者データが送信される。
・ステップＳ２０４：代行者サーバ１０は、受益者データを登録すると共に、保険会社サーバ６０へ送信する。
・ステップＳ２０５：保険会社サーバ６０は、受益者データを登録すると共に、受益者に対する保険契約識別番号を付与し、代行者サーバ１０へ保険契約識別番号を送信する。
・ステップＳ２０６：代行者サーバ１０は、識別番号を受益者端末３０へ送信する。
・ステップＳ３０１：保険の補償対象となる事故が発生し、受益者端末３０から代行者サーバ１０へ見舞金請求データが送信される。
・ステップＳ３０２：代行者から受益者へ見舞金が支払われる。
・ステップＳ４０１：代行者サーバ１０から契約者サーバ５０へ立替金（見舞金）請求データが送信される。
・ステップＳ４０２：代行者サーバ１０から保険会社サーバ６０へ保険金請求データが送信される。
・ステップＳ４０３：保険会社から契約者へ保険金が支払われる。
・ステップＳ４０４：契約者から代行者へ立替金が支払われる。
【００３０】
以下、図２〜図９を参照して、代行者サーバ１０のデータ記憶部１５に記憶される各テーブルについて説明する。尚、図示の各テーブルの含むデータ項目は一例として示すものであり、それらに限定する意図ではない。
【００３１】
図２は、図１の代行者サーバ１０のデータ記憶部１５に記憶される保険契約データテーブル１６の一例を示す。保険会社サーバ６０の保険契約テーブル６５もほぼ同様の構成のテーブルである。尚、契約者サーバ５０の保険契約テーブル５５については、自己すなわち当該保険契約者（例えば、広告主Ｊ社）に関係する保険契約データのみを保存すれば足りるから、当該保険契約者のみを含むテーブルとなる。保険契約データテーブル１６は、保険会社と契約者との間で事前に設定された保険契約内容データを格納する。格納されるデータは、保険契約の対象である配信情報に関するデータとそれに関連付けられた保険契約内容のデータである。図１では、一の保険契約者（情報提供者／広告主）のみを示したが、一般的には複数の保険契約者（Ｊ社、Ｋ社、Ｌ社、Ｍ社等）が存在する。また、２以上の共同保険契約者が１つの配信情報を提供する場合もある。
【００３２】
例えば、図２のテーブルの第１段目の事例では、Ｊ社とＫ社が共同で保険契約者となり、携帯電話の待受画面を月極で提供する情報配信サイト（Ｊ社とＫ社の広告を掲載）を構築する。この携帯電話の待受画面は、例えば、お守りとして利用したり、さらに他の携帯電話端末へ転送してプレゼントしたりすることもできる。料金は課金方式がよく採られる。この情報配信サイトを通信ネットワークと接続可能とするキャリアは、携帯電話会社であるＡ社である。この情報配信サイトに付帯する保険の内容は、補償対象が交通傷害事故であり、見舞金金額が１万円、補償期間は配信情報の契約期間と同一となっている。
【００３３】
図２のテーブルの第２段目の事例では、Ｌ社が保険契約者であり、携帯電話へスポーツニュースを配信する情報配信サイト（Ｌ社の広告を掲載）を構築する。この情報配信サイトを通信ネットワークと接続可能とするキャリアは、携帯電話会社であるＢ社である。この情報配信サイトに付帯する保険の内容は、ゴルフまたはサッカーをした際の傷害事故である。
【００３４】
図２のテーブルの第３段目の事例では、Ｊ社とＭ社が共同で保険契約者となり、パソコンの壁紙画面を提供する情報配信サイト（Ｊ社とＭ社の広告を掲載）を構築する。この情報配信サイトを通信ネットワークと接続可能とするプロバイダは、Ｃ社である。この情報配信サイトに付帯する保険の内容は、補償対象が台所廻りの事故である。
【００３５】
図２のテーブルの第４段目の事例では、Ｊ社が保険契約者であり、構築される情報配信サイト（Ｊ社の広告を掲載）は、パソコン用のグリーティングサイトである。この情報配信サイトを通信ネットワークと接続可能とするプロバイダはＤ社である。この情報配信サイトに付帯する保険の内容は、グリーティング送信先ユーザの傷害事故が補償対象となっている。この場合、情報配信について契約したユーザが保険受益者とはならないことが特徴的である。この情報配信サイトから送信されるグリーティングメール等には、保険受益者として登録するための機能が組み込まれることとなる。本システムは、このように保険受益者となる権利を通信ネットワークを介して譲渡できる点が特徴的である。
【００３６】
図３は、図１の契約者サーバ５０のデータ記憶部５４に記憶される配信情報テーブル５６の一例を示す。図３は、図２中の保険契約者すなわち広告主Ｊ社において記憶される配信情報データテーブルを例示する。配信情報テーブル５４は、各情報配信サイトＡ〜Ｃから情報の配信を受けるべく契約を行った配信情報契約者データを格納する。尚、この配信情報データテーブル５４に含まれるデータは、複数の契約者サーバ５０の各々から代行者サーバ１０へも伝送される。代行者サーバ１０は、各々の契約者サーバから取得した配信情報データをデータ記憶部１５の配信情報データテーブル１７に格納する。
【００３７】
図３の第１段目は、キャリアＡにより設置される情報配信サイトから携帯電話待受画面月極提供サービスを行う場合の契約データである。当該サービスの契約を行った個々のユーザに関する情報が格納される。例えば、契約したユーザの氏名「○○○○」、携帯電話メールアドレス「ａｂｃ＠ｄｅ．ｎｅ．ｊｐ」、配信情報の詳細内容「画面ａ」の他に、情報配信契約を行ったユーザに対して付与される固有の配信情報識別番号「１０００１」が記憶されている。図示しないが、その他に契約期間、契約料、支払方法（自動振込銀行口座、クレジットカード番号等）等必要な情報が適宜格納される。
【００３８】
図３の第２段目は、プロバイダＣ社により設置される情報配信サイトからパソコン用の壁紙画面提供サービスを行う場合の契約データである。当該サービスの契約を行った個々のユーザに関する情報が格納される。例えば、契約したユーザの氏名「□□□□」、メールアドレス「ｌｍｎ＠ｓｔ．ｎｅ．ｊｐ」、配信情報の詳細内容「壁紙ｃ」の他に、情報配信契約を行ったユーザに対して付与される固有の配信情報識別番号「２０００１」が記憶されている。
【００３９】
図３の第３段目は、プロバイダＤ社により設置されるパソコン用グリーティングサイトの提供するサービスに関する契約データである。当該サービスの契約を行った個々のユーザに関する情報が格納される。当該サービスの契約を行うのは、グリーティングの送信者である。例えば、契約したユーザの氏名「◇◇◇◇」、メールアドレス「ｒｓｔ＠ｕｖ．ｎｅ．ｊｐ」、グリーティングの詳細内容「グリーティングｅ」の他に、情報配信契約を行ったユーザに対して付与される固有の配信情報識別番号「３０００１」が記憶されている。
【００４０】
図４は、図１の代行者サーバ１０のデータ記憶部１５に記憶される受益者データテーブル１８の一例を示す。受益者データは、図１の情報配信サイトＡ〜Ｃにおける情報配信契約の後に、当該配信情報に付帯した保険の受益者として特定された者のデータを格納する。保険会社サーバ６０もまたほぼ同様の受益者データをデータ記憶部６４の受益者データテーブル６６として保管する。尚、各契約者サーバ５０も、自己の提供する情報配信サイトに関連する受益者データを、データ記憶部５４の受益者データテーブル５７に格納する。
【００４１】
図４の第１段目は、キャリアＡにより設置される情報配信サイトから携帯電話待受画面月極提供サービスを受ける契約を行った情報配信契約者「○○○○」が、携帯電話（受益者端末３０）から代行者サーバ１０へアクセスし、配信情報付帯保険の受益者としての登録を行ったデータを示している。受益者データには、受益者個人情報（氏名、住所、年齢、性別等）、キャリア若しくはプロバイダ及び配信情報内容、図３に示した配信情報識別番号、並びに、個々の保険受益者に付与される固有の保険契約識別番号「Ａ１２３４５６」等が含まれる。この場合は、情報配信契約者「○○○○」自身が、保険受益者となる。尚、受益者登録の際に配信情報識別番号「１０００１」を入力するのは、受益者としての資格を有することを証明するためである。
【００４２】
図４の第２段目は、プロバイダＤにより設置されるグリーティングサイトでの契約に基づいてグリーティングデータが送信され、送信先のパソコンのユーザ「××××」が、パソコン（受益者端末３０）から代行者サーバ１０へアクセスし、配信情報付帯保険の受益者として登録を行ったデータを示している。登録の際には、グリーティングデータに含まれる配信情報識別番号「３０００１」を入力することにより受益者としての資格を有することを証明する。登録すると、保険契約識別番号「Ｂ２４６８１０」が付与される。この場合、情報配信契約者は図３に示した通り「◇◇◇◇」であるが、保険受益者は「××××」となる。
【００４３】
図５には、配信情報付帯保険の受益者の特定方法が、幾つか例示されている。先ず、一番上に示す例では、ユーザＰがユーザ端末であるパソコン３０ａ又は携帯電話３０ｂからキャリア／プロバイダ７０ａの設置する情報配信サイトＡへアクセスして情報配信契約を行い、当該情報配信契約により取得した配信情報識別番号を用いて代行者サーバ１０の受付ウェブサイト２１へアクセスし、保険受益者登録を行う。尚、いずれの例におけるユーザ端末も、パソコン、携帯電話、ＰＤＡ等いずれの携帯端末装置であってもよい。
【００４４】
図５の中段上部に示す例では、ユーザＱがユーザ端末である携帯電話３０ｃからキャリア／プロバイダ７０ｂの設置する情報配信サイトＢへアクセスして情報配信契約を行い、当該情報配信契約により取得した配信情報識別番号を、別のユーザＲの携帯電話３０ｄへ送信し、ユーザＲがその取得した配信情報識別番号を用いて代行者サーバ１０の受付ウェブサイト２１へアクセスし、保険受益者登録を行う。この例では、ユーザＱからユーザＲへの配信情報のプレゼント（贈与）すなわち転送に付随して配信情報識別番号の授受が行われてもよい。
【００４５】
図５の中段下部に示す例では、ユーザＳ、Ｔ及びＵがそれぞれユーザ端末である携帯電話３０ｅ、３０ｆ及び３０ｇからキャリア／プロバイダ７０ｂの設置する情報配信サイトＢへアクセスして情報配信契約を行い、それぞれが当該情報配信契約により取得した配信情報識別番号を、別の１のユーザＶの携帯電話３０ｈへ送信する。これによりユーザＶは複数の配信情報識別番号を取得することになる。この例では、複数のユーザＳ、Ｔ、Ｕから一人のユーザＶへの配信情報のプレゼント（贈与）すなわち転送に付随して配信情報識別番号の授受を行ってもよい。さらに、ユーザＶは、贈与された複数の配信情報識別番号の全てを用いて受益者登録を行ってもよいし、贈与された複数の配信情報識別番号の中から１又は複数を選択して受益者登録を行ってもよい。またこの場合、一人のユーザが受益者登録することができる配信情報識別番号の数に上限を設定して、代行者サーバ１０がその上限を管理するようにしてもよい。保険の悪用を防ぎ、保険金の額が高額になりすぎないようにするためである。
【００４６】
さらに、図５の一番下の例では、キャリア／プロバイダ７０ｃの設置する情報配信サイトＣがゲームサイトである。複数のユーザＸ、Ｙ、Ｚがこのゲームサイトで行われるゲームに参加し、ゲーム結果によって種々の賞品やサービスの贈与、交換が行われる。例えば、ゲームの勝者に与えられる賞品が「保険サービスの受益者としての資格」であるとすると、複数のユーザＸ、Ｙ、Ｚがそれぞれのユーザ端末である携帯電話３０ｉ、３０ｊ、３０ｋから情報配信サイトＣへアクセスし、所定の対戦ゲームを行い、ユーザＹが勝者として賞品である保険サービスを取得する。その場合、ユーザＹの携帯電話３０ｊへ保険受益者登録に必要な配信情報識別番号が送信される。ユーザＹは、代行者サーバ１０の受付ウェブサイト２１へアクセスし、配信情報識別番号を用いて受益者登録を行い、保険契約識別番号を付与される。
【００４７】
図５に示したように、情報配信契約の後に、最終的に保険サービス受益者が特定される方法は、多様に設定できる。尚、最終的に保険受益者としての資格を取得したユーザが、代行者サーバ１０の受付ウェブサイト２１へアクセスするための手段として、受付ウェブサイト２１のＵＲＬを配信情報に含ませることが好適である。例えば、ユーザ端末への配信情報により表示される画面中に受付ウェブサイト２１のＵＲＬを表示したり、「保険受益者登録実行」ボタンを表示したりすることにより、ユーザがそれらを選択する入力を行うと、即座に画面表示を受付ウェブサイト２１へ移行させるようにできる。
【００４８】
図６は、図１の代行者サーバ１０のデータ記憶部１５に記憶される見舞金データテーブル１９の一例を示す。ここで「見舞金」とは、受益者において保険事故が発生した場合に受益者が代行者へ請求し、代行者から受益者に支払われる金銭を意味する。本来であればこの金銭は、保険サービスを提供する契約者が受益者へ支払うべき金銭であり、最終的には保険会社から契約者に支払われる「保険金」であるが、本システムでは、保険サービスに関して受益者と保険会社、受益者と契約者が直接関わることはなく、専ら代行者が受益者との応対を行い、代行者が受益者への「保険金」を立替払いするので、この立替払いされる金銭を「見舞金」として「保険金」と区別している。見舞金データテーブル１９は、見舞金請求のあった各件に関する記録データを格納しており、受益者個人情報（保険契約識別番号を含む）、キャリア／プロバイダ及び配信情報内容、及び配信情報識別番号の他に、見舞金の「請求日」、「審査結果」、「金額」、「支払日」、「払込先口座」等の項目がある。
【００４９】
図７は、図１の代行者サーバ１０のデータ記憶部１５に記憶される保険金請求データテーブル２０の一例を示す。代行者サーバ１０は、受益者への見舞金支払後、立て替え払いした金銭の請求処理を行う。請求処理においては、契約者に対して立替金の支払請求を行う一方、保険会社に対して保険金の支払請求を行う。後者の請求は、本来、契約者が保険会社へ行うものであるが、代行者が契約者に替わって行う。その後、保険金は、保険会社から契約者へ支払われ、さらに契約者から代行者へ支払われ、代行者はこれを受領する。図７の保険金請求データテーブル３０は、保険金請求に係る各件に関する記録データを格納しており、受益者個人情報（保険契約識別番号を含む）、キャリア／プロバイダ及び配信情報内容、及び配信情報識別番号の他に、保険金についての「（契約者への）立替金請求日」、「（保険会社への）保険金請求日」、「金額」、「受領日」等の項目がある。
【００５０】
図８は、図１の保険会社サーバ６０のデータ記憶部６４に記憶される保険金支払データテーブル６７の一例を示す。保険会社サーバ６０は、代行者からの保険金請求及び契約者への保険金支払の処理を行う。図８の保険金請求データテーブル６７は、保険金支払に係る各件に関する記録データを格納しており、受益者個人情報（保険契約識別番号を含む）の他に、保険金についての「（代行者からの）請求日」、「審査結果」、「金額」、「（契約者への）支払日」等の項目がある。
【００５１】
図９は、図１の契約者サーバ５０のデータ記憶部５４に記憶される保険金受取データテーブル５８の一例を示す。契約者サーバ５０は、代行者からの立替金請求、保険会社からの保険金受取、及び代行者への立替金支払の処理を行う。図９の保険金受取データテーブル５８は、保険金受取及び立替金支払に係る各件に関する記録データを格納しており、受益者個人情報（保険契約識別番号を含む）、キャリア／プロバイダ及び配信情報内容、及び配信情報識別番号の他に、保険金についての「（代行者からの）立替金請求日」、「（保険会社からの）保険金受領日」、「金額」、「（代行者への）立替金支払日」等の項目がある。
【００５２】
以下、図１０〜図１３の流れ図を参照して、図１の各サーバ１０、５０、６０により実行される本システムの処理の流れを説明する。尚、図示の各処理の流れは、一例をして示すものであり、これらに限定する意図ではない。本発明の主旨の範囲内で処理の手順を変更してもよい。
【００５３】
図１０は、主として図１の契約者サーバ５０のデータ処理部５１の情報配信サイト処理部５２による処理の流れを示す。
【００５４】
・ステップ１１０１：保険サービス代行者、保険契約者及び保険会社間で予め保険契約を結び、保険契約内容を決定する。決定された保険契約内容のデータは、代行者サーバ１０、契約者サーバ５０及び保険会社サーバ６０により共有される共通データであり、それぞれのデータ記憶部１５、５４、６４の保険契約データテーブル１６、５５、６５に格納される（図１のステップＳ１０１及びＳ１０２に対応）。
【００５５】
・ステップ１１０２：契約者サーバ５０は、キャリア若しくはプロバイダ７０ａ〜７０ｃにより設置されるウェブサイトとしての情報配信サイト、又は設置される情報配信サイト内のコンテンツＡ〜Ｃを作成する。作成にあたり、これらの情報配信サイト若しくはコンテンツに保険契約データに基づく保険登録機能を組み込む。保険契約データについては、保険契約データテーブル５５を参照する。保険登録機能には、情報配信契約が成立した際に配信情報識別番号を付与する機能、保険受益者登録を行うために代行者サーバにアクセスする機能、及びユーザに対し本保険システムを説明したり誘導したりする適宜の表示機能等を含む。
【００５６】
・ステップ１１０３：契約者サーバ５０は、キャリア若しくはプロバイダ７０ａ〜７０ｃに対して、保険の付帯した情報配信サイト若しくはコンテンツＡ〜Ｃをそれぞれ配信する（図１のＳ２０１）。各キャリア若しくはプロバイダ７０ａ〜７０ｃは、契約者サーバ５０からアップロードされた保険付帯情報配信サイトＡ〜Ｃをウェブサイト若しくはそのコンテンツとして設置する。これにより、携帯電話やパソコン等のユーザ端末からインターネットやブロードバンドを介して保険付帯情報配信サイトＡ〜Ｃへのアクセスが可能となる。
【００５７】
・ステップ１１０４：契約者サーバ５０は、保険付帯情報配信サイトＡ〜Ｃの提供する情報配信サービスに関するユーザとの契約を処理する。保険付帯情報配信サイトへアクセスしたユーザ端末は、情報配信契約を行うにあたりユーザ個人情報を入力し、配信情報内容、契約期間及び支払方法等を選択し、契約を承認する。契約成立後、情報配信サイトからユーザ端末に対して固有の配信情報識別番号を付与し、送信する。契約者サーバ５０は、情報配信契約に関する情報を配信情報データテーブル５６に格納する（図１のステップＳ２０２）。
【００５８】
・ステップ１１０５：契約者サーバ５０は、配信情報データテーブル５６に格納されたデータを代行者サーバ１０に送信する。代行者サーバ１０はこのデータを受信し、配信情報データテーブル１７に格納する。これにより、契約者サーバ５０と代行者サーバ１０とが、配信情報データテーブル５６、１７のデータを共有する。
【００５９】
図１１は、図１の代行者サーバ１０のデータ処理部１１の受益者登録処理部１２及び保険会社サーバ６０のデータ処理部６１の受益者登録処理部６２による処理の流れを示す。
【００６０】
・ステップ２１０１：情報配信サイトＡ〜Ｃからの配信情報に付帯する保険の受益者としての資格を最終的に取得した者が、携帯電話やパソコン等の受益者端末３０から、正式に受益者となるための登録手続を開始する。
【００６１】
・ステップ２１０２：受益者端末３０が、代行者サーバ１０へアクセスし受益者データを送信する。好適には、代行者サーバ１０の設置する受付ウェブサイトにアクセスする。受益者データには、受益者の個人情報や配信情報内容と共に配信情報識別番号が含まれる（図１のステップＳ２０３）。
【００６２】
・ステップ２１０３：代行者サーバ１０は、受益者データを受信し、受益者データに含まれる配信情報識別番号に基づいて、配信情報データテーブル１７を照会する。受信した受益者データと、配信情報データテーブル１７に格納されたデータとの一致により、受益者として正当な資格を有することを確認する。
【００６３】
・ステップ２１０４：代行者サーバ１０は、受益者データテーブル１８に新たな受益者のデータを登録し、登録した受益者データを保険会社サーバ６０へ送信する（図１のＳ２０４）。
【００６４】
・ステップ２１０５：保険会社サーバ６０は、代行者サーバ１０から新規の受益者データを受信したならば、その受信者に対して固有の保険契約識別番号を付与し、これを代行者サーバ１０へ送信する（図１のＳ２０５）。その後、新規の受益者データを受益者データテーブル６６に登録する。
【００６５】
・ステップ２１０６：代行者サーバ１０は、保険会社サーバ６０から受信した保険契約識別番号を受益者データテーブル１８へ格納すると共に、受益者端末３０へも保険契約識別番号を送信し、受益者登録が完了したことを通知する（図１のＳ２０６）。代行者サーバはさらに、受益者データテーブル１８に格納されたデータを契約者サーバ５０へ送信する（図１のＳ２０７）。
【００６６】
・ステップ２１０７：受益者端末３０は、代行者サーバ１０から保険契約識別番号を受信する。一方、契約者サーバ５０は、代行者サーバ１０から受益者データを受信し、受益者データテーブル５７に登録する。これにより、受益者データが、代行者サーバ１０、契約者サーバ５０及び保険会社サーバ６０に共有される。
【００６７】
図１２は、図１の代行者サーバ１０のデータ処理部１１の見舞金処理部１３による処理の流れを示す。
【００６８】
・ステップ３１０１：受益者が、見舞金サービス約款に定める事故に遭ったとき、受益者端末３０から代行者サーバ１０へアクセスし、見舞金請求データを送信する（図１のステップＳ３０１）。見舞金請求データには、配信情報識別番号と保険契約識別番号が含まれる。これらの識別番号のネットワーク送信においては、十分なセキュリティを確保するものとする。尚、その他の必要な書面等は、受益者が代行者へ別途送付する。
【００６９】
・ステップ３１０２：代行者サーバ１０は、受益者端末３０からの見舞金請求データを受信し、当該データに含まれる配信情報識別番号及び保険契約識別番号の双方又はいずれかに基づいてデータ記憶部１５の受益者データテーブル１８を参照して正当な受益者による請求か否かを確認し、保険契約データテーブル１６及び配信情報データテーブル１７を参照して適切な見舞金請求であるか否かを確認することにより、審査を行う。代行者サーバ１０は、審査結果に基づいて見舞金の支払いを決定し、結果を受信者端末３０へ通知する（図１のＳ３０２）。尚、この見舞金は、代行者が契約者に替わって受益者へ支払う立替金である。
【００７０】
・ステップ３１０３：代行者と受益者との間で見舞金の授受が行われる。
【００７１】
・ステップ３１０４：代行者から受益者への支払を完了したならば、代行者サーバ１０は、データ記憶部１５の見舞金データテーブル１９に当該請求及び支払に係るデータを登録する。
【００７２】
図１３は、図１の代行者サーバ１０のデータ処理部１５の保険金処理部１４、保険会社サーバ６０のデータ処理部６１の保険金処理部６３、及び契約者サーバ５０のデータ処理部５１の保険金処理部５３による処理の流れを示す。
【００７３】
・ステップ４１０１：代行者サーバ１０は、契約者に対する立替金請求データを作成し、契約者サーバ５０へ送信する（図１のＳ４０１）。
【００７４】
・ステップ４１０２：上記ステップ４１０１と並行して、代行者サーバ１０は、保険会社に対する保険金請求データを作成し、保険会社サーバ６０へ送信する（図１のステップＳ４０２）。代行者サーバ１０は、作成した保険金請求データを保険金請求データテーブル２０に登録する。尚、その他の必要な書面等は、代行者が保険会社へ別途送付する。保険金請求は、本来、契約者が保険会社に対して行うものであるが、本システムでは、代行者が契約者に替わって行う。契約者の便宜を図ったものである。
【００７５】
・ステップ４１０３：保険会社サーバ６０は、代行者サーバ１０からの保険金請求データを受信し、受益者データテーブル６６及び保険契約データテーブル６５を参照することにより、正当な受益者による適切な保険金請求であるか否かを確認することにより、審査を行う。保険会社サーバ６０は、審査結果に基づいて保険金の支払いを決定する。
【００７６】
・ステップ４１０２：保険会社サーバ６０は、保険支払に係るデータを保険金支払データテーブル６７に登録する。
【００７７】
・ステップ４１０４：保険会社と契約者との間で保険金の授受が行われる（図１のステップＳ４０３）。
【００７８】
・ステップ４１０５：保険会社サーバ６０は、保険金支払に係るデータを保険金支払データテーブル６７に登録し、契約者サーバ５０は、保険金受取に係るデータを保険金受取データテーブル５８に登録する。
【００７９】
・ステップ４１０６：その後、契約者と代行者との間で見舞金（立替金）の授受が行われる（図１のステップＳ４０４）。
【００８０】
・ステップ４１０７：代行者サーバ１０は、立替金の受領をデータ記憶部１５の保険金請求データテーブル２０に登録する。
【００８１】
【発明の効果】
以上の通り、本発明により、情報配信を行うウェブサイト若しくはコンテンツに保険を付帯させたシステムが提供された。このような保険を付帯させたことにより、当該情報配信サイトへのアクセス及び情報配信契約締結への動機付けとなり、当該情報配信サイトにおける広告宣伝効果も益々高まることとなる。
【００８２】
また、本発明による配信情報付帯保険システムは、保険契約者（広告主／情報提供者）と保険会社間で行われるべき業務処理を代替して実行する保険サービス代行者サーバを設けたことにより、保険契約者及び保険会社の負担を増すことなく実施することができる。
【図面の簡単な説明】
【図１】本発明による配信情報付帯保険システムの実施形態を概略的かつ模式的に示す構成図である。
【図２】図１の代行者サーバ１０のデータ記憶部１５に記憶される保険契約データテーブル１６の一例を示す図である。
【図３】図１の契約者サーバ５０のデータ記憶部５４に記憶される配信情報データテーブル５６の一例を示す図である。
【図４】図１の代行者サーバ１０のデータ記憶部１５に記憶される受益者データテーブル１８の一例を示す図である。
【図５】保険サービス受益者の特定方法の例を示す図である。
【図６】図１の代行者サーバ１０のデータ記憶部１５に記憶される見舞金データテーブル１９の一例を示す図である。
【図７】図１の代行者サーバ１０のデータ記憶部１５に記憶される保険金請求データテーブル２０の一例を示す図である。
【図８】図１の保険会社サーバ６０のデータ記憶部６４に記憶される保険金請求データテーブル６７の一例を示す図である。
【図９】図１の契約者サーバ５０のデータ記憶部５４に記憶される保険金受取データテーブル５８の一例を示す図である。
【図１０】主として、図１の契約者サーバ５０のデータ処理部５１の情報配信サイト処理部５２による処理の流れを示す図である。
【図１１】図１の代行者サーバ１０のデータ処理部１１の受益者登録処理部１２及び保険会社サーバ６０のデータ処理部６１の受益者登録処理部６２による処理の流れを示す図である。
【図１２】図１の代行者サーバ１０のデータ処理部１１の見舞金処理部１３による処理の流れを示す図である。
【図１３】図１の代行者サーバ１０のデータ処理部１１の保険金処理部１４、保険会社サーバ６０のデータ処理部６１の保険金処理部６３及び契約者サーバ５０のデータ処理部５１の保険金処理部５１による処理の流れを示す図である。
【符号の説明】
１　配信情報付帯保険システム
１０　保険サービス代行者サーバ
１１　（代行者サーバ）データ処理部
１２　（代行者サーバ）受益者登録処理部
１３　（代行者サーバ）見舞金処理部
１４　（代行者サーバ）保険金処理部
１５　（代行者サーバ）データ記憶部
１６　（代行者サーバ）保険契約データテーブル
１７　（代行者サーバ）配信情報データテーブル
１８　（代行者サーバ）受益者データテーブル
１９　（代行者サーバ）見舞金データテーブル
２０　（代行者サーバ）保険金請求データテーブル
２１　（代行者サーバ）受付ウェブサイト
３０、３０ａ〜ｇ　保険受益者端末
５０　保険契約者サーバ
５１　（契約者サーバ）データ処理部
５２　（契約者サーバ）情報配信サイト処理部
５３　（契約者サーバ）保険金処理部
５４　（契約者サーバ）データ記憶部
５５　（契約者サーバ）保険契約データテーブル
５６　（契約者サーバ）配信情報データテーブル
５７　（契約者サーバ）保険金受取データテーブル
６０　保険会社サーバ
６１　（保険会社サーバ）データ処理部
６２　（保険会社サーバ）受益者登録処理部
６３　（保険会社サーバ）保険金処理部
６４　（保険会社サーバ）データ記憶部
６５　（保険会社サーバ）保険契約データテーブル
６７　（保険会社サーバ）受益者データテーブル
６７　（保険会社サーバ）保険金支払データテーブル
７０ａ、７０ｂ、７０ｃ　キャリア／プロバイダ
Ａ、Ｂ、Ｃ　情報配信サイト
【図１】
2004013421.tif 000003
【図２】
2004013421.tif 000004
【図３】
2004013421.tif 000005
【図４】
2004013421.tif 000006
【図５】
2004013421.tif 000007
【図６】
2004013421.tif 000008
【図７】
2004013421.tif 000009
【図８】
2004013421.tif 000010
【図９】
2004013421.tif 000011
【図１０】
2004013421.tif 000012
【図１１】
2004013421.tif 000013
【図１２】
2004013421.tif 000014
【図１３】
2004013421.tif 000015